(57)【要約】【課題】搬送ベルトの幅端部が折れ重なってプーリに巻かれたことを即座に検出し得、しかるべき処置を早急に行うことにより、搬送ベルトの蛇行や捩れの発生を回避し得、搬送ベルトの損傷を防止し得るパイプコンベヤのベルト折れ重なり検出装置を提供する。【解決手段】プーリ３に掛け回される搬送ベルト１の厚さに応じて作動する検出器１１を備える。【選択図】　　　　図１
2004043133.tif 000002
【特許請求の範囲】
【請求項１】
無端状の搬送ベルトをパイプ状に丸め、該パイプ状に丸めた搬送ベルトの内部に被搬送物を入れて搬送するよう構成したパイプコンベヤのベルト折れ重なり検出装置であって、
プーリに掛け回される搬送ベルトの厚さに応じて作動する検出器を備えたことを特徴とするパイプコンベヤのベルト折れ重なり検出装置。
【請求項２】
プーリと平行に配置され且つ搬送ベルトの厚さが折れ重なりにより厚くなった状態でプーリに差し掛かった場合にベルト進行方向へ変位する棒状体と、該棒状体の変位によって作動するリミットスイッチとから検出器を構成した請求項１記載のパイプコンベヤのベルト折れ重なり検出装置。
【発明の詳細な説明】
【０００１】
【発明の属する技術分野】
本発明は、パイプコンベヤのベルト折れ重なり検出装置に関するものである。
【０００２】
【従来の技術】
従来より、無端状の搬送ベルトを案内部材によってパイプ状に丸め、該パイプ状に丸めた搬送ベルトの内部に石炭等の被搬送物を入れて搬送するよう構成されたパイプコンベヤが知られている。
【０００３】
図３〜図６は従来のパイプコンベヤの一例を表わすものであって、搬送ベルト１は、図３に示される如く、前方に配置されたプーリ２と後方に配置されたプーリ３との間に無端状に掛け回され、図示していない駆動装置で前方のプーリ２が回転駆動されることにより矢印方向に循環し、上段側の往路及び下段側の帰路における各々の大部分においては、搬送ベルト１の幅方向両側縁部１ａを、案内部材としての案内枠４によって近接させ最終的に重合させてパイプ状に丸め、そのパイプ状の状態を保形枠７によって維持するようにしたパイプ部５が形成されている。
【０００４】
前記往路側のパイプ部５の上流側には、図３及び図４に示される如く、石炭等の被搬送物を搬送ベルト１上へ投下するシュート６が設置されており、又、前方のプーリ２の近傍には、搬送ベルト１によって搬送された被搬送物を受ける荷受シュート１０が設置されている。
【０００５】
前記案内枠４は、後方に配置されたプーリ３とパイプ部５との間、及びパイプ部５と前方に配置されたプーリ２との間に各々複数（図の例では、案内枠４ａ，４ｂとして前後二箇所ずつ）設けられている。該案内枠４は、パイプ部５における搬送ベルト１の走行方向に対し直交して設けられ、図５に示される如く、上下二段に区画され、上段には、搬送ベルト１の外面に接して回転する案内ローラ８が各々搬送ベルト１の幅方向に沿って複数（図の例では、三個）ずつ設けられている。これらの案内ローラ８は、搬送ベルト１を平板状からパイプ状へ変化させる移行領域では該搬送ベルト１を次第に丸めるように、その配置がなされている。具体的には、三個の案内ローラ８は、パイプ部５における搬送ベルト１の走行方向（長手方向）に対して直交する平面上にその軸線が位置するように配置され、上段側では上方に開口する皿形若しくはＵ字形に、下段側では上段側と上下対称形に配置されている。従って、後方に配置されたプーリ３側の案内枠４においては、上段側の案内ローラ８は搬送ベルト１を丸めるように案内する。同様に前方に配置されたプーリ２側の案内枠４においては、上段側の案内ローラ８は搬送ベルト１を展開するように案内する。
【０００６】
又、前記保形枠７も、パイプ部５における搬送ベルト１の走行方向と直交して設けられ、図６に示される如く、上下二段に区画されて、各々複数（図の例では、六個）の保形ローラ９が環状に配置されている。即ち、該保形ローラ９もその軸線が搬送ベルト１の走行方向に直交する平面上に位置するように配置されている。そして、環状に配置された複数の保形ローラ９の内側を搬送ベルト１が通過することによって、保形ローラ９が搬送ベルト１の外面に接して回転し、搬送ベルト１の展開を防止して搬送ベルト１のパイプ状の状態を維持する。
【０００７】
前述の如きパイプコンベヤにおいては、後方に配置されたプーリ３に沿い下方から上方へ回送された搬送ベルト１は、平板状からパイプ状への移行領域において二個の案内枠４ａ，４ｂの上段を通過することによって段階的にパイプ状に丸められ、丸められる間に図４に示される如くシュート６から投下された被搬送物を内側に包み込む。そして、パイプ部５においては、複数の保形枠７の上段を通過することでその形状が維持され、パイプ状から平板状への移行領域において、二個の案内枠４ａ，４ｂの上段を通過することによって段階的に平板状へと展開され、前方に配置されたプーリ２に沿い上方から下方へ回送されつつ被搬送物を荷受シュート１０に投入し、その後、二個の案内枠４ａ，４ｂの下段を通過することで再びパイプ状に丸められ、各保形枠７の下段を通過した後、二個の案内枠４ａ，４ｂの下段を通って段階的に展開されて後方に配置されたプーリ３に至って循環する。
【０００８】
これにより、石炭等の被搬送物を、その粉塵等を飛散させることなく確実に搬送でき、又、帰路においても、搬送ベルト１に付着した被搬送物の細粒等が落下する心配もない。
【０００９】
【発明が解決しようとする課題】
しかしながら、前述の如きパイプコンベヤにおいては、長期間の使用により搬送ベルト１に丸まる癖がつくと、搬送ベルト１がフラットな形状に戻らずに、その幅端部が折れ重なってプーリ２，３に巻かれてしまうことがあり、このまま放置した場合、該プーリ２，３に掛け回される搬送ベルト１の左右のバランスが崩れて蛇行が生じ、極端な場合、搬送ベルト１が完全に捩れてしまうこともあり、コンベヤとしての機能を果たさなくなって、復旧に多大な手間と時間がかかると共に、搬送ベルト１が損傷してしまう虞もあった。
【００１０】
本発明は、斯かる実情に鑑み、搬送ベルトの幅端部が折れ重なってプーリに巻かれたことを即座に検出し得、しかるべき処置を早急に行うことにより、搬送ベルトの蛇行や捩れの発生を回避し得、搬送ベルトの損傷を防止し得るパイプコンベヤのベルト折れ重なり検出装置を提供しようとするものである。
【００１１】
【課題を解決するための手段】
本発明は、無端状の搬送ベルトをパイプ状に丸め、該パイプ状に丸めた搬送ベルトの内部に被搬送物を入れて搬送するよう構成したパイプコンベヤのベルト折れ重なり検出装置であって、
プーリに掛け回される搬送ベルトの厚さに応じて作動する検出器を備えたことを特徴とするパイプコンベヤのベルト折れ重なり検出装置にかかるものである。
【００１２】
上記手段によれば、以下のような作用が得られる。
【００１３】
搬送ベルトの幅端部が折れ重なってプーリに巻かれると、該プーリに掛け回される搬送ベルトの厚さが厚くなって検出器が作動し、異常が発生したことが検出されるため、パイプコンベヤの運転を停止し、搬送ベルトの丸まる癖を矯正してプーリに掛け直すといった、しかるべき処置を早急に行うことが可能となり、これにより、プーリに掛け回される搬送ベルトの左右のバランスが崩れて蛇行が生じたり、搬送ベルトが完全に捩れてしまったりすることが避けられ、復旧に要する手間と時間が少なくて済むと共に、搬送ベルトが損傷してしまう心配もなくなる。
【００１４】
前記パイプコンベヤのベルト折れ重なり検出装置においては、プーリと平行に配置され且つ搬送ベルトの厚さが折れ重なりにより厚くなった状態でプーリに差し掛かった場合にベルト進行方向へ変位する棒状体と、該棒状体の変位によって作動するリミットスイッチとから検出器を構成することができる。
【００１５】
【発明の実施の形態】
以下、本発明の実施の形態を図示例と共に説明する。
【００１６】
図１及び図２は本発明を実施する形態の一例であって、図中、図３〜図６と同一の符号を付した部分は同一物を表わしており、基本的な構成は図３〜図６に示す従来のものと同様であるが、本図示例の特徴とするところは、図１に示す如く、プーリ３に掛け回される搬送ベルト１の厚さに応じて作動する検出器１１を備えるようにした点にある。
【００１７】
前記検出器１１は、プーリ３と平行に配置され且つ搬送ベルト１の厚さが折れ重なりにより厚くなった状態でプーリ３に差し掛かった場合にベルト進行方向へ変位する棒状体１２と、該棒状体１２の変位によって作動するリミットスイッチ１３とを備えてなる構成を有している。
【００１８】
本図示例の場合、前記棒状体１２は、プーリ３の回転軸と平行に延びるよう固定ブラケット１４に支承された支持軸１５に対し、支持アーム１６を介して取り付け、折れ重なりにより厚くなった搬送ベルト１に押された場合にのみ、図１中、仮想線で示す如く揺動するようにしてあり、この際、前記支持軸１５から支持アーム１６と略直角な方向に延びるよう張り出した作動ロッド１７が前記リミットスイッチ１３のスイッチロッド１８を押し下げ、これにより、該リミットスイッチ１３が作動するようにしてある。
【００１９】
次に、上記図示例の作用を説明する。
【００２０】
搬送ベルト１に折れ重なりが生じていない正常時には、図１中、実線、並びに図２（Ａ）に示す如く、検出器１１の棒状体１２は、搬送ベルト１に押されることなく保持されるため、支持アーム１６及び作動ロッド１７は揺動せず、リミットスイッチ１３も作動しない。
【００２１】
しかし、図２（Ｂ）に示す如く、搬送ベルト１の幅端部が折れ重なってプーリ３に巻かれると、該プーリ３に掛け回される搬送ベルト１の厚さが厚くなって、図１並びに図２（Ｂ）中、仮想線で示す如く、前記検出器１１の棒状体１２が搬送ベルト１に押され、支持アーム１６及び作動ロッド１７が揺動し、前記リミットスイッチ１３のスイッチロッド１８が押し下げられて作動し、異常が発生したことが検出される。
【００２２】
このため、パイプコンベヤの運転を停止し、搬送ベルト１の丸まる癖を矯正してプーリ３に掛け直すといった、しかるべき処置を早急に行うことが可能となり、これにより、プーリ３に掛け回される搬送ベルト１の左右のバランスが崩れて蛇行が生じたり、搬送ベルト１が完全に捩れてしまったりすることが避けられ、復旧に要する手間と時間が少なくて済むと共に、搬送ベルト１が損傷してしまう心配もなくなる。
【００２３】
こうして、搬送ベルト１の幅端部が折れ重なってプーリ３に巻かれたことを即座に検出し得、しかるべき処置を早急に行うことにより、搬送ベルト１の蛇行や捩れの発生を回避し得、搬送ベルト１の損傷を防止し得る。
【００２４】
尚、本発明のパイプコンベヤのベルト折れ重なり検出装置は、上述の図示例にのみ限定されるものではなく、その他、本発明の要旨を逸脱しない範囲内において種々変更を加え得ることは勿論である。
【００２５】
【発明の効果】
以上、説明したように本発明のパイプコンベヤのベルト折れ重なり検出装置によれば、搬送ベルトの幅端部が折れ重なってプーリに巻かれたことを即座に検出し得、しかるべき処置を早急に行うことにより、搬送ベルトの蛇行や捩れの発生を回避し得、搬送ベルトの損傷を防止し得るという優れた効果を奏し得る。
【図面の簡単な説明】
【図１】本発明を実施する形態の一例の要部拡大側面図である。
【図２】図１のＩＩ−ＩＩ矢視図であって、（Ａ）は搬送ベルトに折れ重なりが生じていない正常時の状態を表す図、（Ｂ）は搬送ベルトに折れ重なりが生じている異常時の状態を表す図である。
【図３】従来のパイプコンベヤの一例を示す側面図である。
【図４】図３のＩＶ−ＩＶ矢視図である。
【図５】図３のＶ−Ｖ矢視図である。
【図６】図３のＶＩ−ＶＩ矢視図である。
【符号の説明】
１　　　　搬送ベルト
２　　　　プーリ
３　　　　プーリ
１１　　　　検出器
１２　　　　棒状体
１３　　　　リミットスイッチ
【図１】
2004043133.tif 000003
【図２】
2004043133.tif 000004
【図３】
2004043133.tif 000005
【図４】
2004043133.tif 000006
【図５】
2004043133.tif 000007
【図６】
2004043133.tif 000008